(57)【特許請求の範囲】
【請求項１】
電子部品と光学部品とを備えた電気光学装置であって、
前記電子部品に電気的に接続された接続部と、
前記電子部品および前記光学部品を収納し、前記接続部が挿通される挿通孔を有する収納用筐体と、
前記収納用筐体に着脱可能に固定される固定部と、
前記固定部に固定される弾性部と、
を備え、
前記固定部は、第１対向部および第１孔形成部を有する第１部材と、第２対向部および第２孔形成部を有する第２部材と、を有し、
前記第１対向部および前記第２対向部は、前記挿通孔から飛び出す前記接続部を挟んで互いに対向して配置され、互いが対向する第１方向に交差する第２方向に沿って延出し、
前記第１孔形成部は、前記第１方向および前記第２方向に交差する第３方向に貫通する第１貫通孔を有し、前記第１対向部の前記第２方向における一端から突出し、
前記第２孔形成部は、前記第３方向に貫通する第２貫通孔を有し、前記第２対向部の前記第２方向における一端から突出し、
前記弾性部は、前記第１対向部に固定された第１弾性部材と、前記第２対向部に固定された第２弾性部材と、を有し、
前記第１弾性部材は、前記第１対向部から前記接続部側に飛び出す第１突出部を有し、
前記第２弾性部材は、前記第２対向部から前記接続部側に飛び出す第２突出部を有し、
前記第１突出部および前記第２突出部は、前記接続部を挟んで互いに押圧され、前記接続部の周りを囲むように配置され、
前記収納用筐体は、前記第１部材および前記第２部材を位置決めする、前記第１貫通孔に挿通される第１位置決め突起と、前記第２貫通孔に挿通される第２位置決め突起と、を有することを特徴とする電気光学装置。
【請求項２】
請求項１に記載の電気光学装置であって、
前記固定部は、前記第１孔形成部、前記第１対向部、前記第２孔形成部、および前記第２対向部が前記接続部を囲むように配置されることを特徴とする電気光学装置。
【請求項３】
請求項１または２に記載の電気光学装置であって、
前記第１位置決め突起および前記第２位置決め突起それぞれには、ネジ穴が設けられ、
前記第１対向部および前記第２対向部それぞれは、前記第１孔形成部および前記第２孔
形成部それぞれに対し、前記収納用筐体とは反対側から見て、前記第１位置決め突起および前記第２位置決め突起それぞれの前記ネジ穴を中心とする時計方向の回転で互いが近づくように位置していることを特徴とする電気光学装置。
【請求項４】
電子部品と光学部品とを備えた電気光学装置であって、
前記電子部品に電気的に接続された接続部と、
前記電子部品および前記光学部品を収納し、前記接続部が挿通される挿通孔を有する収納用筐体と、
前記収納用筐体に着脱可能に固定される固定部と、
前記固定部に固定される弾性部と、
を備え、
前記固定部は、前記挿通孔から飛び出す前記接続部を挟んで互いに対向して配置される第１対向部および第２対向部を有し、
前記弾性部は、前記第１対向部から前記接続部側に飛び出す第１突出部と、および前記第２対向部から前記接続部側に飛び出す第２突出部と、を有し、
前記第１突出部および前記第２突出部は、前記接続部を挟んで互いに押圧され、前記接続部の周りを囲むように配置され、
前記収納用筐体は、互いに交差する方向に延出する第１外面および第２外面を有する角部を有し、
前記挿通孔は、前記角部に設けられ、
前記第１対向部および前記第２対向部は、前記第１外面および前記第２外面に沿って形成されていることを特徴とする電気光学装置。
【請求項５】
請求項４に記載の電気光学装置であって、
前記固定部は、互いに対向する前記第１対向部および前記第２対向部の一端側を繋ぐ基部を有し、
前記収納用筐体は、前記第１対向部と前記第２対向部とが対向する方向において、前記第１対向部および前記第２対向部を挟持する挟持部を有していることを特徴とする電気光学装置。
【請求項６】
請求項５に記載の電気光学装置であって、
前記収納用筐体は、前記第１外面に沿う方向に開口する開口部および前記第１外面を有し、前記光学部品が配置される第１筐体と、前記第２外面を有し、前記開口部を閉じる第２筐体と、を備え、
前記固定部は、前記基部側が前記第２筐体に固定され、
前記挟持部は、前記第２筐体に設けられていることを特徴とする電気光学装置。
【請求項７】
励起光を射出する光源と、
請求項１から６のいずれか一項に記載の電気光学装置と、
を備え、
前記光学部品は、蛍光体を有し、前記励起光により蛍光を発する波長変換素子であり、
前記電子部品は、前記波長変換素子を回転させる駆動部であることを特徴とする照明装置。
【請求項８】
画像を投写するプロジェクターであって、
請求項７に記載の照明装置と、
前記照明装置から射出された光を変調する光変調装置と、
前記光変調装置から射出された光を投写する投写光学装置と、
前記接続部が接続され、当該プロジェクターの動作を制御する制御部と、
を備えることを特徴とするプロジェクター。
【請求項９】
画像を投写するプロジェクターであって、
光源と、
前記光源から射出された光が入射する請求項１から６のいずれか一項に記載の電気光学装置と、
前記電気光学装置から射出された光を投写する投写光学装置と、
前記接続部が接続され、当該プロジェクターの動作を制御する制御部と、
を備えることを特徴とするプロジェクター。
【発明の詳細な説明】
【技術分野】
【０００１】
本発明は、電気光学装置、照明装置、およびプロジェクターに関する。
【背景技術】
【０００２】
従来、電子部品と光学部品とを備えた装置が知られている。例えば、プロジェクターの光源装置に用いられる光変換装置が提案されている（特許文献１参照）。
【０００３】
特許文献１に記載の光変換装置は、蛍光体ホイール装置と、送風機と、蛍光体ホイール装置および送風機を収容する蛍光体ホイールケースとを備えている。
蛍光体ホイール装置は、蛍光体層が形成された蛍光体ホイール（光学部品）と、蛍光体ホイールを回転させるモーター（電子部品）を備えている。送風機は、蛍光体層の蛍光体発光部に風を送風する。蛍光体ホイールケースは、送風機の風が一方向に流れるように形成された循環経路を有し、密閉空間を構成する。
【先行技術文献】
【特許文献】
【０００４】
【特許文献１】特開２０１４−９２５９９号公報
【発明の概要】
【発明が解決しようとする課題】
【０００５】
しかしながら、特許文献１記載の技術では、密閉性を確保することが難しいと考えられる。すなわち、モーター（電子部品）は、蛍光体ホイールケースの外部に配置されている制御部にケーブル等の接続部を介して接続されていると考えられるが、このため、蛍光体ホイールケースには、ケーブルを通す孔が形成されることとなる。そして、この孔から外部の塵埃が蛍光体ホイールケース内の蛍光体層の光路上に侵入すると、蛍光体層への励起光や蛍光体層からの射出光の吸収や散乱が生じることとなる。すなわち、特許文献１記載の技術では、光の利用効率が悪くなるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係る電気光学装置は、電子部品と光学部品とを備えた電気光学装置であって、前記電子部品に電気的に接続された接続部と、前記電子部品および前記光学部品を収納し、前記接続部が挿通される挿通孔を有する収納用筐体と、前記収納用筐体に着脱可能に固定される固定部と、前記固定部に固定される弾性部と、を備え、前記固定部は、前記挿通孔から飛び出す前記接続部を挟んで互いに対向して配置される第１対向部および第２対向部を有し、前記弾性部は、前記第１対向部から前記接続部側に飛び出す第１突出部、および前記第２対向部から前記接続部側に飛び出す第２突出部を有し、前記第１突出部および前記第２突出部は、前記接続部を挟んで互いに押圧され、前記接続部の周りを囲むように配置されることを特徴とする。
【０００８】
この構成によれば、固定部に固定された弾性部によって接続部が挿通された挿通孔を塞ぐことができるので、外部から塵埃の侵入を防止するような密閉空間を収納用筐体内に形成することが可能となる。よって、収納用筐体内の光学部品への塵埃の付着を防止できるので、電子部品を外部から制御しつつ光学部品が有する光学性能を十分に発揮させる電気光学装置を提供することができる。
また、挿通孔を塞ぐために弾性部材を両面テープ等の粘着材を介して挿通孔の周縁に取り付ける本適用例とは異なる構成においては、密閉性を確保するための作業や、弾性部材の劣化に伴う交換作業が煩雑化するが、本適用例の構成によれば、固定部の固定、取り外しという容易な作業で密閉性の確保や弾性部が固定された固定部の交換を行うことができる。
【０００９】
［適用例２］上記適用例に係る電気光学装置において、前記固定部は、前記第１対向部を有する第１部材と、前記第２対向部を有する第２部材と、を備え、前記弾性部は、前記第１突出部を有して前記第１対向部に固定された第１弾性部材と、前記第２突出部を有して前記第２対向部に固定された第２弾性部材と、を備え、前記収納用筐体は、前記第１対向部と前記第２対向部とが互いに対向して配置されるように、前記第１部材および前記第２部材を位置決めする位置決め部を有していることが好ましい。
【００１０】
この構成によれば、作業者は、第１弾性部材が固定された第１部材および第２弾性部材が固定された第２部材を位置決め部で位置決めして収納用筐体に固定することで、接続部が挿通された挿通孔を塞ぐことができる。よって、簡単な構成および簡単な作業で弾性部が固定された固定部を収納用筐体の所定の位置に配置し、接続部が挿通された挿通孔を塞ぐことができる。
【００１１】
［適用例３］上記適用例に係る電気光学装置において、前記第１対向部および前記第２対向部は、互いが対向する第１方向に交差する第２方向に沿って延出し、前記第１部材は、前記第１対向部の前記第２方向における一端から突出し、前記第１方向および前記第２方向に交差する第３方向に貫通する貫通孔が形成された第１孔形成部を有し、前記第２部材は、前記第２対向部の前記第２方向における一端から突出し、前記第３方向に貫通する貫通孔が形成された第２孔形成部を有し、前記第１弾性部材は、前記第１突出部が前記第１対向部の前記第１孔形成部が突出する側に設けられ、前記第２弾性部材は、前記第２突出部が前記第２対向部の前記第２孔形成部が突出する側に設けられ、前記収納用筐体には、前記第１孔形成部および前記第２孔形成部それぞれの貫通孔に挿通された前記位置決め部としての第１位置決め突起および第２位置決め突起が形成され、前記固定部は、前記第１孔形成部、前記第１対向部、前記第２孔形成部、および前記第２対向部が前記接続部を囲むように配置されることが好ましい。
【００１２】
この構成によれば、第１部材および第２部材は、平面視Ｌ字状に形成され、第１弾性部材および第２弾性部材は、このＬ字状の一方の片に固定される。そして、第１部材および第２部材は、それぞれの貫通孔に第１位置決め突起および第２位置決め突起が挿通されて接続部を囲むように配置される。これによって、第１部材と第２部材との共通化、および第１弾性部材と第２弾性部材との共通化が可能となる。また、接続部の周囲にコンパクトに固定部を配置することが可能となる。よって、製造の簡素化、および小型の固定部および弾性部を備えた電気光学装置を提供することができる。
【００１３】
［適用例４］上記適用例に係る電気光学装置において、前記第１位置決め突起および前記第２位置決め突起それぞれには、ネジ穴が設けられ、前記第１対向部および前記第２対向部それぞれは、前記第１孔形成部および前記第２孔形成部それぞれに対し、前記収納用筐体とは反対側から見て、前記第１位置決め突起および前記第２位置決め突起それぞれの前記ネジ穴を中心とする時計方向の回転で互いが近づくように位置していることが好ましい。
【００１４】
この構成によれば、貫通孔にネジを挿通して第１部材および第２部材を容易に収納用筐体の所定の位置に固定することができる。また、第１部材および第２部材は、標準的な右ネジ（時計方向の回転によって締め付け力を生じるネジ）を用いてネジ締めされると、上述した側（ネジの頭側）から見て、双方の部材には時計回りに回転するような力が加わるが、第１対向部および第２対向部が上述したように形成されているので、第１突出部および第２突出部にはさらに互いに押圧する方向の力が加えられることとなる。よって、特殊なネジを用いることや、第１部材および第２部材を押さえながらネジ締めすることなくなく、容易な作業で第１突出部および第２突出部が接続部を挟んで互いに押圧される構成を確実に実現させることができる。
【００１５】
［適用例５］上記適用例に係る電気光学装置において、前記固定部は、互いに対向する前記第１対向部および前記第２対向部の一端側を繋ぐ基部を有し、前記収納用筐体は、前記第１対向部と前記第２対向部とが対向する方向において、前記第１対向部および前記第２対向部を挟持する挟持部を有していることが好ましい。
【００１６】
この構成によれば、固定部は、挟持部に挟持されると、挿通孔から飛び出す接続部を挟んで配置される第１対向部および第２対向部が互いに近づく方向に押し付けられる。これによって、第１対向部から飛び出す第１突出部、および第２対向部から飛び出す第２突出部は、確実に接続部を挟んで互いに押圧される。よって、簡単な構成および簡単な作業で弾性部が固定された固定部を収納用筐体の所定の位置に配置し、接続部が挿通された挿通孔を塞ぐことができる。
【００１７】
［適用例６］上記適用例に係る電気光学装置において、前記収納用筐体は、互いに交差する方向に延出する第１外面および第２外面を有する角部を有し、前記挿通孔は、前記角部に設けられ、前記第１対向部および前記第２対向部は、前記第１外面および前記第２外面に沿って形成されていることが好ましい。
【００１８】
この構成によれば、収納用筐体内の隅に配置された電子部品に接続された接続部をスペース効率よく収納用筐体外部に取り出すことができると共に、接続部が挿通された挿通孔を塞ぐことができる。
【００１９】
［適用例７］上記適用例に係る電気光学装置において、前記収納用筐体は、前記第１外面および前記第１外面に沿う方向に開口する開口部を有し、前記光学部品が配置される第１筐体、および前記第２外面を有し、前記開口部を閉じる第２筐体を備え、前記固定部は、前記基部側が前記第２筐体に固定され、前記挟持部は、前記第２筐体に設けられていることが好ましい。
【００２０】
この構成によれば、固定部の容易な着脱はもとより、固定部が第２筐体に固定された状態でも第１筐体と第２筐体との分解が可能となる。よって、固定部の交換が必要とされない場合であっても、固定部を取り外すことなく第１筐体内に配置された光学部品等の部材の修理や交換が可能となる。
【００２１】
［適用例８］本適用例に係る照明装置は、励起光を射出する光源と、上記に記載の電気光学装置と、を備え、前記光学部品は、蛍光体を有し、前記励起光により蛍光を発する波長変換素子であり、前記電子部品は、前記波長変換素子を回転させる駆動部であることを特徴とする。
【００２２】
この構成によれば、光源の励起光によって波長変換素子が蛍光を発し、この蛍光を含む光を射出する照明装置を提供することができる。そして、波長変換素子は、駆動部によって回転するので、励起光が照射される蛍光体の領域が移動することとなり、蛍光体が局所的に高温になってしまうことが防止される。これによって、蛍光体の熱劣化を抑制し、長期に亘って被照明領域を照明する照明装置の提供が可能となる。
また、波長変換素子および駆動部は、収納用筐体内に配置されているので、蛍光体の表面に塵埃が付着することが防止される。よって、塵埃による励起光や蛍光体からの射出光の吸収や散乱を抑制し、光の利用効率を高めた光の射出、および容易な作業で弾性部が固定された固定部の交換を行うことができる照明装置の提供が可能となる。
【００２３】
［適用例９］本適用例に係るプロジェクターは、上記に記載の照明装置と、前記照明装置から射出された光を変調する光変調装置と、前記光変調装置から射出された光を投写する投写光学装置と、前記接続部が接続され、当該プロジェクターの動作を制御する制御部と、を備えることを特徴とする。
【００２４】
この構成によれば、プロジェクターは、上述した照明装置を備えるので、光源が発する光の効率を高め、長期に亘って明るさの低下が抑制された画像の投写が可能となる。
【００２５】
［適用例１０］本適用例に係るプロジェクターは、光源と、前記光源から射出された光が入射する上記に記載の電気光学装置と、前記電気光学装置から射出された光を投写する投写光学装置と、前記接続部が接続され、当該プロジェクターの動作を制御する制御部と、を備えることを特徴とする。
【００２６】
この構成によれば、プロジェクターは、上述した電気光学装置を備えているので、光学部品が有する光学性能を維持し、長期に亘って画質の良好な画像の投写が可能となる。
【図面の簡単な説明】
【００２７】
【図１】第１実施形態に係るプロジェクターの主な構成を示す模式図。
【図２】第１実施形態における電気光学装置の一部を示す斜視図。
【図３】第１実施形態における筐体本体および閉塞部の分解斜視図。
【図４】第１実施形態における閉塞部が取り付けられた筐体本体の部分断面図。
【図５】第１実施形態における閉塞部が取り付けられた筐体本体の部分断面図。
【図６】第２実施形態に係るプロジェクターの主な構成を示す模式図。
【図７】第２実施形態における閉塞部および閉塞部近傍の光学部品用筐体の一部を示す斜視図。
【図８】第２実施形態における光学部品用筐体の一部、および閉塞部の分解斜視図。
【図９】第２実施形態における固定部、および固定部に固定された弾性部の斜視図。
【発明を実施するための形態】
【００２８】
（第１実施形態）
以下、本実施形態に係る光源装置、照明装置、およびプロジェクターについて、図面を参照して説明する。なお、以下に示す各図においては、各構成要素を図面上で認識され得る程度の大きさとするため、各構成要素の寸法や比率を実際のものとは適宜異ならせてある。
【００２９】
〔プロジェクターの主な構成〕
図１は、本実施形態に係るプロジェクター１の主な構成を示す模式図である。
プロジェクター１は、図１に示すように、光学系２、プロジェクター１の動作を制御する制御部３、および外装を構成する外装筐体４を備える。光学系２は、照明装置２１、色分離光学系２２、光変調装置としての液晶ライトバルブ２３Ｒ，２３Ｇ，２３Ｂ、色合成光学装置としてのクロスダイクロイックプリズム２４、投写光学装置２５、および光学部品用筐体２６を備える。なお、図示は省略するが、プロジェクター１は、上述した光学系２および制御部３に加え、照明装置２１や制御部３に電力を供給する電源装置、および光学系２や電源装置を冷却する冷却装置を備え、これらの装置は、外装筐体４内に配置されている。
【００３０】
照明装置２１は、光源装置２１１、電気光学装置５、レンズアレイ２１２，２１３、偏光変換素子２１４、および重畳レンズ２１５を備える。
光源装置２１１は、光源としての複数の発光素子２１１ａ、および複数の発光素子２１１ａを保持する保持部２１１ｂを備える。発光素子２１１ａは、半導体レーザーであり、励起光（例えば、青色光）を射出する。
【００３１】
電気光学装置５は、集光光学系５１、波長変換素子５２、駆動部としてのモーター５３、接続部としてのケーブル５４、コリメート光学系５５、収納用筐体６、および閉塞部７を備える。波長変換素子５２は光学部品に相当し、モーター５３は電子部品に相当する。
集光光学系５１は、複数の発光素子２１１ａに対応して配置された複数の第１レンズ５１１、および複数の第１レンズ５１１を介した光が共通して入射する第２レンズ５１２を備え、光源装置２１１から射出された励起光を集光する。
【００３２】
波長変換素子５２は、円板５２１、および円板５２１上の円周方向に設けられた蛍光体５２２を備える。
円板５２１は、発光素子２１１ａから射出された光を透過する部材、例えば、石英ガラス、水晶や、サファイア等により形成されている。
蛍光体５２２は、円板５２１の集光光学系５１とは反対側に設けられ、集光光学系５１により集光された光の焦点位置と重なるように配置されている。蛍光体５２２は、光源装置２１１から射出された光（青色光）の一部を透過させるとともに、残部を吸収し可視光（本実施形態では黄色光）を発する。蛍光体５２２から射出される光は、青色光と黄色光とが合成された白色光を成している。
【００３３】
モーター５３は、円板５２１の中心に接続され、円板５２１の中心を通る法線を回転軸として波長変換素子５２を回転可能に設けられている。ケーブル５４は、複数の信号線を有し、モーター５３と制御部３とを電気的に接続する。また、ケーブル５４は、制御部３と着脱可能に接続されるコネクター（図示省略）を有している。モーター５３は、制御部３の指示に基づいて円板５２１を回転させる。波長変換素子５２は、モーター５３によって回転されることで、蛍光体５２２の特定位置に励起光が照射し続けないため、熱劣化が防止され、長寿命化が可能になっている。
【００３４】
コリメート光学系５５は、蛍光体５２２から発せられる光の広がりを抑える第１レンズ５５１と、第１レンズ５５１から入射される光を平行化する第２レンズ５５２とを備え、蛍光体５２２から射出された光を平行化する。
【００３５】
収納用筐体６は、筐体本体６１、および光透過部材６２を備え、光学部品（集光光学系５１、波長変換素子５２、コリメート光学系５５）、および電子部品（モーター５３）を収納する。また、光源装置２１１における保持部２１１ｂは、図示しないヒートシンクを備え、収納用筐体６の一部を形成する。このヒートシンクは、収納用筐体６の外面側を向いて配置され、図示しないファンから送風された空気により冷却される。
【００３６】
筐体本体６１は、複数の部材が組み合わされて構成され、後で詳細に説明するが、ケーブル５４が挿通される挿通孔６１ｈ（図３参照）が形成されている。
光透過部材６２は、コリメート光学系５５の光射出側に配置され、コリメート光学系５５から射出された白色光を透過する。
【００３７】
閉塞部７は、後で詳細に説明するが、収納用筐体６に着脱可能に固定され、ケーブル５４が挿通された挿通孔６１ｈを閉塞する。そして、収納用筐体６は、閉塞部７が固定されることで、外部から塵埃の侵入を防止するような密閉空間を形成する。
【００３８】
レンズアレイ２１２は、小レンズがマトリクス状に配列された構成を有しており、コリメート光学系５５から射出された光を複数の部分光に分割する。レンズアレイ２１３は、レンズアレイ２１２と略同様の構成を有しており、重畳レンズ２１５とともに、複数の部分光を液晶ライトバルブ２３Ｒ，２３Ｇ，２３Ｂの表面に略重畳させる。偏光変換素子２１４は、レンズアレイ２１３から射出された非偏光を液晶ライトバルブ２３Ｒ，２３Ｇ，２３Ｂで利用可能な直線偏光に変換する。
【００３９】
色分離光学系２２は、ダイクロイックミラー２２１，２２２、ミラー２２３，２２４，２２５、フィールドレンズ２２６Ｒ，２２６Ｇ，２２６Ｂ、リレーレンズ２２７，２２８を備える。
ダイクロイックミラー２２１は、照明装置２１から射出された光Ｌのうち、緑色光（Ｇ光）および青色光（Ｂ光）を反射し、赤色光（Ｒ光）を透過させる。ダイクロイックミラー２２２は、ダイクロイックミラー２２１で反射した光のうちのＧ光を反射し、Ｂ光を透過させる。
【００４０】
ダイクロイックミラー２２１を透過したＲ光は、ミラー２２３で反射してフィールドレンズ２２６Ｒにて平行化された後、液晶ライトバルブ２３Ｒに入射する。ダイクロイックミラー２２２で反射したＧ光は、フィールドレンズ２２６Ｇにて平行化された後に、液晶ライトバルブ２３Ｇに入射する。ダイクロイックミラー２２２を透過したＢ光は、リレーレンズ２２７を通りミラー２２４で反射した後、リレーレンズ２２８を通りミラー２２５で反射してフィールドレンズ２２６Ｂに入射する。フィールドレンズ２２６Ｂに入射したＢ光は、平行化された後に、液晶ライトバルブ２３Ｂに入射する。
【００４１】
液晶ライトバルブ２３Ｒ，２３Ｇ，２３Ｂは、透過型の液晶パネル、および液晶パネルの両側にそれぞれ配置された入射側偏光板、射出側偏光板を備え、図示しないケーブルを介して制御部３に接続されている。液晶ライトバルブ２３Ｒ，２３Ｇ，２３Ｂは、供給された画像信号に基づいて、色分離光学系２２から射出された各色光を変調し、各色の画像光を形成する。
【００４２】
クロスダイクロイックプリズム２４は、４つの直角プリズムを貼り合わせた平面視略正方形状をなし、直角プリズム同士を貼り合わせた界面には、２つの誘電体多層膜が形成されている。クロスダイクロイックプリズム２４は、液晶ライトバルブ２３Ｒ，２３Ｂそれぞれにて変調されたＲ光およびＢ光を反射し、液晶ライトバルブ２３Ｇにて変調されたＧ光を透過して、３色の画像光を合成する。
投写光学装置２５は、複数のレンズ（図示省略）を有して構成され、クロスダイクロイックプリズム２４にて合成された画像光をスクリーン等の投写面ＳＣＲ上に拡大投写する。
【００４３】
光学部品用筐体２６は、光学系２の光路上における電気光学装置５の光路後段側から投写光学装置２５の光路前段側に配置される光学部品を収納する。
【００４４】
制御部３は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や、モーター５３の駆動制御等を行う。
【００４５】
〔閉塞部の構成〕
ここで、閉塞部７について詳細に説明する。
図２は、電気光学装置５の一部を示す斜視図であり、閉塞部７および閉塞部７近傍の筐体本体６１の一部を示す図である。なお、図２は、構成要素を認識し易くするため、ケーブル５４を二点鎖線で模式的に示した図である。図３は、筐体本体６１および閉塞部７の分解斜視図である。
【００４６】
先ず、筐体本体６１の挿通孔６１ｈおよび挿通孔６１ｈ近傍の形状について説明する。
図３に示すように、筐体本体６１の外面には、平面視矩形状の凹部６１１が設けられ、この凹部６１１の底面に挿通孔６１ｈが形成されている。凹部６１１の短手方向を第１方向Ｄ１、長手方向（第１方向Ｄ１に交差（本実施形態では直交）する方向）を第２方向Ｄ２とする。
挿通孔６１ｈは、凹部６１１と同様に、第２方向Ｄ２の長さが第１方向Ｄ１の長さより長く形成されている。また、挿通孔６１ｈは、ケーブル５４のコネクター（図示省略）が挿通可能な大きさに形成されている。
【００４７】
凹部６１１の底面には、第２方向Ｄ２における挿通孔６１ｈの両側に円筒状の第１位置決め突起６１２および第２位置決め突起６１３が設けられており、この第１位置決め突起６１２および第２位置決め突起６１３それぞれの中央にはネジ穴が形成されている。第１位置決め突起６１２および第２位置決め突起６１３は、閉塞部７（後述する固定部７２）を位置決めするための機能を有し、位置決め部に相当する。
【００４８】
次に、閉塞部７について説明する。
閉塞部７は、凹部６１１に配置され、前述したように、ケーブル５４が挿通された挿通孔６１ｈを閉塞する。
閉塞部７は、図３に示すように、遮光部材７１、筐体本体６１に着脱可能に固定される固定部７２、および固定部７２に固定される弾性部７３を備えている。
【００４９】
遮光部材７１は、波長変換素子５２が発する光を遮光するシート材で形成され、凹部６１１内に配置される。遮光部材７１は、弾性部７３とで、挿通孔６１ｈから収納用筐体６外部への光漏れを確実に防止するために設けられている。遮光部材７１には、ケーブル５４が挿通される長孔７１１、および第１位置決め突起６１２および第２位置決め突起６１３がそれぞれ挿通される丸孔７１２，７１３が形成されている。長孔７１１は、ケーブル５４の断面形状より大きく、ケーブル５４のコネクター（図示省略）の断面形状より小さく形成されている。遮光部材７１がシート材で形成されていることにより、組み立て作業者は、遮光部材７１を変形させてケーブル５４のコネクターを挿通させる。
【００５０】
固定部７２は、第１部材７２１および第２部材７２２を備えている。
第１部材７２１および第２部材７２２は、ステンレス等の板金で形成され、共通の形状を有している。具体的に、第１部材７２１は、第１対向部７２１Ａおよび第１孔形成部７２１Ｂを有し、平面視Ｌ字状に形成されている。
【００５１】
第１対向部７２１Ａは、挿通孔６１ｈの第２方向Ｄ２の長さより長い長尺状に形成され、遮光部材７１の上面に積層される平坦部７２１Ａａ、平坦部７２１Ａａの短手方向（第１方向Ｄ１）の一端から起立する起立部７２１Ａｂ、および起立部７２１Ａｂの端部から平坦部７２１Ａａとは反対側に屈曲された屈曲部７２１Ａｃを有している。このように、第１対向部７２１Ａは、断面がクランク状に形成されている。
第１孔形成部７２１Ｂは、平坦部７２１Ａａと共に遮光部材７１の上面に積層される部位である。第１孔形成部７２１Ｂは、平坦部７２１Ａａの第２方向Ｄ２における一端から屈曲部７２１Ａｃと同一側に第１対向部７２１Ａの長さより短く突出しており、中央には第１方向Ｄ１および第２方向Ｄ２に交差（本実施形態では直交）する第３方向Ｄ３に貫通する貫通孔７２１Ｂｈが形成されている。
【００５２】
第２部材７２２は、第１部材７２１と同様に、第２対向部７２２Ａおよび第２孔形成部７２２Ｂを有し、第２対向部７２２Ａは、平坦部７２２Ａａ、起立部７２２Ａｂ、および屈曲部７２２Ａｃを有し、第２孔形成部７２２Ｂには、貫通孔７２２Ｂｈが形成されている。なお、第１部材７２１および第２部材７２２は、板金に限らず、金属の成型によるものや、ガラス繊維等を含む強度の高い合成樹脂製であってもよい。
【００５３】
弾性部７３は、第１対向部７２１Ａに固定された第１弾性部材７３１、および第２対向部７２２Ａに固定された第２弾性部材７３２を備えている。
第１弾性部材７３１および第２弾性部材７３２は、耐熱性が高い弾性を有する部材（例えば、シリコンフォーム材等）で形成され、共通の形状を有している。
第１弾性部材７３１は、図３に示すように、第１対向部７２１Ａの長さより長い直方体状に形成され、粘着材を介して起立部７２１Ａｂと屈曲部７２１Ａｃとに固定される。また、第１弾性部材７３１は、屈曲部７２１Ａｃから第１孔形成部７２１Ｂが突出する側に飛び出して第１対向部７２１Ａに固定される。
【００５４】
第２弾性部材７３２は、第１弾性部材７３１と同様に、屈曲部７２２Ａｃから飛び出して起立部７２２Ａｂと屈曲部７２２Ａｃとに固定される。第１弾性部材７３１の屈曲部７２１Ａｃから飛び出す部位を第１突出部７３１ｐとし、第２弾性部材７３２の屈曲部７２２Ａｃから飛び出す部位を第２突出部７３２ｐとする。
【００５５】
第１弾性部材７３１が固定された第１部材７２１、および第２弾性部材７３２が固定された第２部材７２２は、挿通孔６１ｈおよび長孔７１１にケーブル５４が挿通された状態で、図２に示すように、筐体本体６１にネジＳｃを用いて固定される。
図４は、閉塞部７が取り付けられた筐体本体６１の部分断面図であり、ネジＳｃの中心を通り、第１方向Ｄ１に沿う平面における断面図である。図３、図４に示すように、第１部材７２１は、貫通孔７２１Ｂｈに第１位置決め突起６１２が挿通され、貫通孔７２１Ｂｈから挿通されたネジＳｃが第１位置決め突起６１２のネジ穴に挿入されて凹部６１１内に固定される。第２部材７２２は、貫通孔７２２Ｂｈに第２位置決め突起６１３が挿通され、貫通孔７２２Ｂｈから挿通されたネジＳｃが第２位置決め突起６１３のネジ穴に挿入されて凹部６１１内に固定される。
【００５６】
そして、第１部材７２１および第２部材７２２は、図２に示すように、第１対向部７２１Ａと第２対向部７２２Ａとが挿通孔６１ｈ（図３参照）から飛び出すケーブル５４を挟んで互いに対向して配置される。第１対向部７２１Ａと第２対向部７２２Ａとは、第１方向に対向し、第１対向部７２１Ａおよび第２対向部７２２Ａは、第２方向に沿って延出することとなる。
また、第１部材７２１および第２部材７２２は、第１孔形成部７２１Ｂ、第１対向部７２１Ａ、第２孔形成部７２２Ｂ、および第２対向部７２２Ａがケーブル５４を囲むように配置される。また、第１対向部７２１Ａおよび第２対向部７２２Ａそれぞれは、第１孔形成部７２１Ｂおよび第２孔形成部７２２Ｂそれぞれに対し、筐体本体６１とは反対側から見て（ネジＳｃの頭側から見て）、第１位置決め突起６１２および第２位置決め突起６１３それぞれのネジ穴を中心とする時計方向の回転で互いが近づくように位置している。
【００５７】
図５は、閉塞部７が取り付けられた筐体本体６１の部分断面図であり、第１突出部７３１ｐおよび第２突出部７３２ｐを通り、第１方向Ｄ１に沿う平面における断面図である。
第１突出部７３１ｐおよび第２突出部７３２ｐは、図２、図５に示すように、ケーブル５４を挟んで互いに押圧され、ケーブル５４の周りを囲むように配置される。その結果、挿通孔６１ｈは、固定部７２および弾性部７３によって閉塞される。また、第１突出部７３１ｐおよび第２突出部７３２ｐは、互いに押圧されても第１部材７２１（第１対向部７２１Ａ）、および第２部材７２２（第２対向部７２２Ａ）にケーブル５４が接触しない飛び出し量、硬さが設定されている。
【００５８】
以上説明したように、本実施形態によれば、以下の効果を得ることができる。
（１）収納用筐体６には、閉塞部７によって、外部から塵埃の侵入を防止するような密閉空間が形成されるので、収納用筐体６内の波長変換素子５２への塵埃の付着を防止できる。よって、モーター５３を収納用筐体６の外部から制御しつつ波長変換素子５２が有する光学性能を十分に発揮させる電気光学装置５を提供することができる。
また、挿通孔６１ｈを塞ぐために、弾性部材を両面テープ等の粘着材を介して挿通孔６１ｈの周縁に取り付ける本実施例とは異なる構成においては、密閉性を確保するための作業や、弾性部材の劣化に伴う交換作業が煩雑化するが、本実施形態の構成によれば、固定部７２の固定、取り外しという容易な作業で密閉性の確保や弾性部７３が固定された固定部７２の交換を行うことができる。
【００５９】
（２）波長変換素子５２は、モーター５３によって回転するので、励起光が照射される蛍光体５２２の領域が移動することとなり、蛍光体５２２が局所的に高温になってしまうことが防止される。これによって、蛍光体５２２の熱劣化を抑制し、長期に亘って被照明領域を照明する照明装置２１の提供が可能となる。
また、波長変換素子５２は、収納用筐体６内に配置されているので、蛍光体の表面に塵埃が付着することが防止される。よって、塵埃による励起光や蛍光体５２２からの射出光の吸収や散乱を抑制し、光の利用効率を高めた光の射出、および容易な作業で弾性部７３が固定された固定部７２の交換を行うことができる照明装置２１の提供が可能となる。
プロジェクター１は、照明装置２１を備えるので、長期に亘って明るさの低下が抑制された画像の投写が可能となる。
【００６０】
（３）収納用筐体６は、第１対向部７２１Ａと第２対向部７２２Ａとが互いに対向して配置されるように、第１部材７２１および第２部材７２２を位置決めする第１位置決め突起６１２および第２位置決め突起６１３を有している。これによって、簡単な構成および簡単な作業で弾性部７３が固定された固定部７２を収納用筐体６の所定の位置に配置し、ケーブル５４が挿通された挿通孔６１ｈを塞ぐことができる。
【００６１】
（４）閉塞部７は、第１部材７２１と第２部材７２２とが共通に形成され、第１弾性部材７３１と第２弾性部材７３２とが共通に形成されている。そして、第１部材７２１および第２部材７２２は、平面視Ｌ字状に形成され、ケーブル５４を囲むように配置されるので、ケーブル５４の周囲にコンパクトに配置される。よって、製造の簡素化、および小型の閉塞部７を備えた電気光学装置５を提供することができる。
【００６２】
（５）第１対向部７２１Ａおよび第２対向部７２２Ａそれぞれは、第１孔形成部７２１Ｂおよび第２孔形成部７２２Ｂそれぞれに対し、ネジＳｃの頭側から見て、第１位置決め突起６１２および第２位置決め突起６１３それぞれのネジ穴を中心とする時計方向の回転で互いが近づくように位置している。これによって、標準的な右ネジを用いて、また、容易な作業で第１突出部７３１ｐおよび第２突出部７３２ｐがケーブル５４を挟んで互いに押圧される構成を確実に実現させることができる。
【００６３】
（６）第１対向部７２１Ａおよび第２対向部７２２Ａは、断面がクランク状に形成されているので、撓み等が抑制される。よって、閉塞部７は、第１対向部７２１Ａおよび第２対向部７２２Ａそれぞれの一方の端部がネジ締めされる構成であっても、ケーブル５４が挿通された挿通孔６１ｈを確実に閉塞することができる。
【００６４】
（第２実施形態）
以下、第２実施形態に係るプロジェクターについて、図面を参照して説明する。以下の説明では、第１実施形態と同様の構成要素には、同一符号を付し、その詳細な説明は省略または簡略化する。
図６は、本実施形態に係るプロジェクター１０の主な構成を示す模式図である。
本実施形態のプロジェクター１０は、電気光学装置５、および電気光学装置５とは異なる電気光学装置１５を備えている。また、プロジェクター１０は、図６に示すように、第１実施形態のプロジェクター１における光学部品用筐体２６とは形状や構成部材が異なる光学部品用筐体１２０、および第１実施形態のプロジェクター１には備えられていない検出部８、閉塞部９、冷却装置の一部を構成する循環装置（図示省略）を備えている。検出部８は、電子部品としての照度センサー８Ｂ，８Ｒを備えている。
【００６５】
光学部品用筐体１２０は、第１実施形態の光学部品用筐体２６に収納される光学部品と同様の光学部品、および照度センサー８Ｂ，８Ｒを収納し、収納用筐体に相当する。そして、光学部品用筐体１２０には、接続部としてのケーブル１５４Ｂ，１５４Ｒがそれぞれ挿通される挿通孔１２０ｈ（図８参照、ケーブル１５４Ｒが挿通される挿通孔は図示省略）が形成されている。
【００６６】
閉塞部９は、ケーブル１５４Ｂが挿通された挿通孔１２０ｈを閉塞する閉塞部９Ｂ、およびケーブル１５４Ｒが挿通された挿通孔（図示省略）を閉塞する閉塞部９Ｒを備えている。光学部品用筐体１２０は、閉塞部９が固定されることで、外部から空気が流入しにくい密閉空間を形成する。すなわち、電気光学装置１５は、光学部品用筐体１２０、光学部品用筐体１２０内に配置された光学部品、検出部８、ケーブル１５４Ｂ，１５４Ｒ、および閉塞部９を備えている。電気光学装置１５には、複数の発光素子２１１ａから射出され、波長変換素子５２等を介した光が入射する。そして、投写光学装置２５は、この電気光学装置１５から射出された光を投写する。
【００６７】
照度センサー８Ｂは、図６に示すように、ミラー２２５の反射面とは反対側に配置され、照度センサー８Ｒは、ミラー２２３の反射面とは反対側に配置されている。
ミラー２２５は、入射するＢ光の約９９％を反射するが残りの約１％を透過する。照度センサー８Ｂは、ミラー２２５を透過したＢ光の照度を検出し、その検出結果を、ケーブル１５４Ｂを介して制御部３に出力する。同様に、ミラー２２３は、入射するＲ光の約９９％を反射するが残りの約１％を透過する。照度センサー８Ｒは、ミラー２２３を透過したＲ光の照度を検出し、その検出結果を、ケーブル１５４Ｒを介して制御部３に出力する。制御部３は、照度センサー８Ｂ，８Ｒから出力された検出結果に基づいて、図示しない調光装置を駆動させ、ミラー２２３，２２５、すなわち液晶ライトバルブ２３Ｒ，２３Ｂに入射する光の光量を調整する。
【００６８】
図示しない循環装置は、冷却ファン、熱交換部等を備え、光学部品用筐体１２０内に空気を循環させ、液晶ライトバルブ２３Ｒ，２３Ｇ，２３Ｂ等の光学部品を冷却する。詳細な説明は省略するが、概略以下のように光学部品は冷却される。冷却ファンは、液晶ライトバルブ２３Ｒ，２３Ｇ，２３Ｂ等の光学部品に冷却空気を送風する。熱交換部は、一部が光学部品用筐体１２０の内外に跨って形成されており、光学部品用筐体１２０内の熱を光学部品用筐体１２０の外に配置されている部位に伝達させる。この部位に伝達された熱は、図示しない排気ファン等により、プロジェクター１０外に排出される。なお、図示は省略するが、冷却ファンは、ケーブルを介して制御部３に接続されており、このケーブルは、光学部品用筐体１２０に形成された孔に挿通されている。そして、この孔は、クッション材等で閉塞されている。
【００６９】
ここで、光学部品用筐体１２０の挿通孔１２０ｈ周囲の形状、および閉塞部９について詳細に説明する。
ケーブル１５４Ｒが挿通される挿通孔および閉塞部９Ｒは、挿通孔１２０ｈおよび閉塞部９Ｂと同様に構成されているので、ここでは、挿通孔１２０ｈおよび閉塞部９Ｂに注目して説明する。
図７は、閉塞部９Ｂおよび閉塞部９Ｂ近傍の光学部品用筐体１２０の一部を示す斜視図である。なお、ケーブル１５４Ｂは複数の信号線を有しているが、図７は、ケーブル１５４Ｂを１本の信号線で示した図である。図８は、光学部品用筐体１２０の一部、および閉塞部９Ｂの分解斜視図である。
【００７０】
先ず、挿通孔１２０ｈおよび挿通孔１２０ｈ近傍の光学部品用筐体１２０形状について説明する。
光学部品用筐体１２０は、図７、図８に示すように、下側を形成する第１筐体１２１および上側を形成する第２筐体１２２を有している。
第１筐体１２１は、上方に開口部を有して箱状に形成され、ミラー２２３，２２５（図６参照）等の光学部品が配置される。第２筐体１２２は、第１筐体１２１の開口部を閉じるように蓋状に形成されている。
【００７１】
挿通孔１２０ｈは、図８に示すように、第１筐体１２１および第２筐体１２２で形成される角部に設けられている。具体的に、第１筐体１２１は、照度センサー８Ｂのミラー２２５（図６参照）とは反対側に位置し、第１外面１２１ａを有する立壁１２１Ｗを有している。第１筐体１２１の開口部は、第１外面１２１ａに沿う方向に開口することとなる。第２筐体１２２は、第１筐体１２１の底部に対向し、第２外面１２２ａを有する上面部１２２Ｗを有している。すなわち、第１外面１２１ａと第２外面１２２ａとは互いに交差する方向に延出しており、挿通孔１２０ｈは、立壁１２１Ｗと上面部１２２Ｗとで形成される角部に設けられている。
【００７２】
第２筐体１２２には、図８に示すように、第２外面１２２ａから突出する円柱部１２２１、一対の突起部１２２２、および一対の挟持部１２２３が形成されている。
円柱部１２２１は、第１外面１２１ａとは反対側の挿通孔１２０ｈの近傍に設けられ、中央にネジ穴が形成されている。
一対の突起部１２２２は、それぞれが円柱形状を有し、円柱部１２２１の両側に設けられている。一対の突起部１２２２は、閉塞部９Ｂ（後述する固定部９１）を位置決めするための機能を有している。
一対の挟持部１２２３は、閉塞部９Ｂを挟持する機能を有している。一対の挟持部１２２３それぞれは、板状に突出しており、一対の突起部１２２２より第１外面１２１ａ寄りに設けられ、挿通孔１２０ｈを介して互いに対向して配設されている。また、一対の挟持部１２２３それぞれには、互いが対向する側に面取り１２２３ｃが形成されている。
【００７３】
次に、閉塞部９Ｂについて説明する。
閉塞部９Ｂは、図７、図８に示すように、第２筐体１２２に固定される固定部９１、および固定部９１に固定される弾性部９２を備えている。
固定部９１は、合成樹脂製であり、第１対向部９１１、第２対向部９１２、および基部９１３を有している。
第１対向部９１１および第２対向部９１２は、挿通孔１２０ｈから飛び出すケーブル１５４Ｂを挟んで互いに対向して配置され、第１外面１２１ａおよび第２外面１２２ａに沿って屈曲している。
基部９１３は、互いに対向する第１対向部９１１および第２対向部９１２の一端側を繋ぎ、上面部１２２Ｗに配置される。第１対向部９１１および第２対向部９１２の基部９１３とは反対側のそれぞれの端部を先端９１１ｔ、９１２ｔとする。
【００７４】
第１対向部９１１と第２対向部９１２とは、基部９１３側から屈曲する部位近傍までがネジＳｃが挿通される大きさで離間し、第１外面１２１ａに沿う部位においては、離間する距離が先端９１１ｔ、９１２ｔに向かう程、次第に大きくなるように形成されている。
また、基部９１３には、一対の突起部１２２２がそれぞれ挿通される平面視半円状の切欠き９１ｎが一対形成されている。
【００７５】
図９は、固定部９１、および固定部９１に固定された弾性部９２を光学部品用筐体１２０側から見た斜視図である。
固定部９１は、図９に示すように、光学部品用筐体１２０側となる内面側が段差を有して形成されている。具体的に、固定部９１の内面は、基部９１３より第１対向部９１１および第２対向部９１２が凹むように段差を有している。
【００７６】
弾性部９２は、図９に示すように、第１対向部９１１に固定される第１弾性部材９２１、および第２対向部９１２に固定される第２弾性部材９２２を備えている。
第１弾性部材９２１および第２弾性部材９２２は、耐熱性が高い弾性を有する部材（例えば、シリコンフォーム材等）で、共通の形状を有し、平面視矩形の板状に形成されている。
第１弾性部材９２１および第２弾性部材９２２は、固定部９１の内面側に設けられた段差を目安として、粘着材を介して第１対向部９１１および第２対向部９１２にそれぞれ固定される。また、第１弾性部材９２１および第２弾性部材９２２は、互いが当接するように固定される。すなわち、第１弾性部材９２１は、第１対向部９１１から第２対向部９１２側（ケーブル１５４Ｂ側）に飛び出す第１突出部９２１ｐを有して第１対向部９１１に固定される。第２弾性部材９２２は、第２対向部９１２から第１対向部９１１側（ケーブル１５４Ｂ側）に飛び出す第２突出部９２２ｐを有して第２対向部９１２に固定される。
【００７７】
第１弾性部材９２１および第２弾性部材９２２は、第１対向部９１１と第２対向部９１２との離間距離が、基部９１３側より先端９１１ｔ、９１２ｔが長く形成されていることにより、基部９１３側より先端９１１ｔ、９１２ｔ側が大きく変形可能に構成されている。ケーブル１５４Ｂは、先端９１１ｔ、９１２ｔ側から第１突出部９２１ｐと第２突出部９２２ｐとの間に挿入される。また、ケーブル１５４Ｂは、閉塞部９が取り外される場合にも先端９１１ｔ、９１２ｔ側から引き出される。
【００７８】
また、第１弾性部材９２１および第２弾性部材９２２は、先端９１１ｔ、９１２ｔからそれぞれ飛び出る長さに形成されており、この先端９１１ｔ、９１２ｔから飛び出る部位は、第１対向部９１１および第２対向部９１２それぞれの外面側に粘着材を介して固定される。このように、第１弾性部材９２１および第２弾性部材９２２が先端９１１ｔ、９１２ｔを覆うように形成されていることにより、ケーブル１５４Ｂが先端９１１ｔ、９１２ｔ側から第１弾性部材９２１と第２弾性部材９２２との間に挿入された際にも、第１弾性部材９２１および第２弾性部材９２２の剥がれが抑制される。なお、先端９１１ｔ、９１２ｔから飛び出さないように、第１弾性部材９２１および第２弾性部材９２２の長さを設定してもよい
【００７９】
第１弾性部材９２１および第２弾性部材９２２が固定された固定部９１は、ケーブル１５４Ｂが上述したように、第１突出部９２１ｐと第２突出部９２２ｐとの間に挿入され、一対の突起部１２２２に位置決めされて第２筐体１２２に固定される。具体的に、固定部９１は、一対の突起部１２２２に位置決めされた後、第２外面１２２ａ側に押圧され、基部９１３近傍の第１対向部９１１と第２対向部９１２との間から挿通されたネジＳｃが円柱部１２２１のネジ穴に挿通されて第２筐体１２２に固定される。
【００８０】
また、固定部９１が第２外面１２２ａ側に押圧される際に、第１対向部９１１および第２対向部９１２は、一対の挟持部１２２３によって、互いが対向する方向に挟持される。すなわち、第１対向部９１１および第２対向部９１２は、互いが近づく方向に押し付けられるように挟持される。そして、第１突出部９２１ｐおよび第２突出部９２２ｐは、図７に示すように、ケーブル１５４Ｂを挟んで互いに押圧され、ケーブル１５４Ｂを囲むように配置される。その結果、挿通孔１２０ｈは、固定部９１および弾性部９２によって閉塞される。
【００８１】
以上説明したように、本実施形態によれば、以下の効果を得ることができる。
（１）作業者は、第１対向部９１１および第２対向部９１２を一対の挟持部１２２３に挟持させることで、第１対向部９１１および第２対向部９１２からそれぞれ飛び出す第１突出部９２１ｐおよび第２突出部９２２ｐを押圧させ、ケーブル１５４Ｂが挿通された挿通孔１２０ｈを閉塞することができる。よって、閉塞部９を簡素な構成とし、また、簡単な作業でケーブル１５４Ｂが挿通された挿通孔１２０ｈを塞ぎ、光学部品用筐体１２０（収納用筐体）内への塵埃の侵入を防止できる。よって、光学部品用筐体１２０内に配置される光学部品への塵埃の付着を防止できるので、電子部品を外部から制御しつつ光学部品が有する光学性能を十分に発揮させることができる。
【００８２】
（２）プロジェクター１０は、循環装置を備えているので、光学部品用筐体１２０内の光学部品を効率よく冷却することができる。
【００８３】
（３）挿通孔１２０ｈは、光学部品用筐体１２０の角部に設けられ、固定部９１は、この角部の両側に位置する第１外面１２１ａおよび第２外面１２２ａに沿って屈曲している。これによって、光学部品用筐体１２０の隅に配置された照度センサー８Ｂに接続されたケーブル１５４Ｂをスペース効率よく光学部品用筐体１２０の外部に取り出すことができると共に、挿通孔１２０ｈを塞ぐことができる。
【００８４】
（４）固定部９１は、基部９１３側が第２筐体１２２に固定され、挟持部１２２３は、第２筐体１２２に設けられている。そして、ケーブル１５４Ｂは、先端９１１ｔ、９１２ｔ側から第１突出部９２１ｐと第２突出部９２２ｐとの間への挿入、引出が行われる。これによって、閉塞部９の容易な着脱はもとより、閉塞部９が第２筐体１２２に固定された状態でも第１筐体１２１と第２筐体１２２との分解が可能となる。よって、閉塞部９の交換が必要とされない場合であっても、閉塞部９を取り外すことなく第１筐体１２１内に配置された光学部品等の部材の修理や交換が可能となる。
【００８５】
（５）プロジェクター１０は、電気光学装置１５を備えているので、光学部品が有する光学性能を維持し、長期に亘って画質の良好な画像の投写が可能となる。
【００８６】
（変形例）
なお、前記実施形態は、以下のように変更してもよい。
第１実施形態の第１対向部７２１Ａおよび第２対向部７２２Ａは、断面がクランク状に形成されているが、断面がＬ字状であってもよく、また、屈曲された部位を有さない平坦状であってもよい。
【００８７】
第１実施形態の第１部材７２１および第２部材７２２は、一端側（第１孔形成部７２１Ｂ、第２孔形成部７２２Ｂ）がネジ締めされることにより収納用筐体６に固定されるように構成されているが、両端側にネジ締めされる部位を設け、この両端側がネジ締めされることにより収納用筐体６に固定されるように構成してもよい。
また、第１対向部および第２対向部それぞれの一端側に互いが係合する部位を設け、他端側にネジ締めされる部位を設け、一方が係合、他方がネジで収納用筐体６に共締めされる構成であってもよい。
【００８８】
第１実施形態の照明装置２１は、レンズアレイ２１２，２１３、偏光変換素子２１４、および重畳レンズ２１５を含んでいるが、これらの部材を含まない光源装置２１１および電気光学装置５を照明装置としてもよい。
【００８９】
第１実施形態の収納用筐体６は、光透過部材６２を備えているが、光透過部材６２を備えない構成とし、光学部品用筐体２６全体、あるいは光学部品用筐体２６の一部と収納用筐体６とで密閉空間を形成するような構成であってもよい。
【００９０】
第２実施形態では、光学部品用筐体１２０（収納用筐体）内に配置される電子部品として照度センサー８Ｂ，８Ｒが用いられているが、これに限らず、循環装置における冷却ファンを電子部品として構成してもよく、光学部品用筐体１２０内の温度を検出する温度センサーを備える構成とし、この温度センサーを電子部品として構成してもよい。すなわち、冷却ファンや、温度センサー等の電子部品に接続されるケーブルが挿通される挿通孔を収納用筐体に設け、この挿通孔を閉塞するものとして第１実施形態の閉塞部７や、第２実施形態の閉塞部９を用いる構成であってもよい。また、複数の電子部品に接続される接続部を１つの挿通孔に挿通させ、この挿通孔を閉塞する閉塞部を備える構成も可能である。
【００９１】
第２実施形態の挟持部１２２３は、第２筐体１２２に設けられているが、第１筐体１２１に設けられる構成であってもよい。すなわち、第１対向部９１１および第２対向部９１２の第１外面１２１ａに沿う部位を挟持する構成であってもよい。
【００９２】
第２実施形態では、挿通孔１２０ｈが収納用筐体の角部に設けられ、第１対向部９１１および第２対向部９１２が屈曲された形状に形成されているが、挿通孔が平坦状の部位に設けられ、第１対向部および第２対向部がこの平坦状の部位に沿うように形成される態様であっても。
【００９３】
前記実施形態の光源装置２１１は、青色光を射出する発光素子２１１ａを備えているが、青色光に限らず、他の波長帯の光、例えば、紫外光を発する発光素子を備えた光源装置を構成してもよい。
また、前記実施形態の照明装置２１は、黄色光を発する蛍光体５２２を備えているが、黄色光に限らず他の可視光を発する蛍光体を備えた照明装置を構成してもよい。
【００９４】
前記実施形態の照明装置２１は、半導体レーザーを光源として構成されているが、半導体レーザーおよびＬＥＤ（Light Emitting Diode）を光源として構成する態様であってもよい。
また、第２実施形態においては、光源装置２１１および電気光学装置５に替えて、放電型の光源を用いた構成であってもよい。
【００９５】
前記実施形態のプロジェクター１，１０は、光変調装置として透過型の液晶ライトバルブ２３Ｒ，２３Ｇ，２３Ｂを用いているが、反射型の液晶ライトバルブを用いたものであってもよい。また、光変調装置としてマイクロミラー型の光変調装置、例えば、ＤＭＤ（Digital Micromirror Device）等を利用したものであってもよい。
【００９６】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００９７】
前記実施形態では、プロジェクターに電気光学装置を搭載した例を示したが、前述した電気光学装置の技術はプロジェクター以外の機器や装置にも適用可能である。
【符号の説明】
【００９８】
１，１０…プロジェクター、３…制御部、５，１５…電気光学装置、６…収納用筐体、７，９，９Ｂ，９Ｒ…閉塞部、８Ｂ，８Ｒ…照度センサー（電子部品）、２１…照明装置、２３Ｂ，２３Ｇ，２３Ｒ…液晶ライトバルブ（光変調装置）、２５…投写光学装置、５２…波長変換素子（光学部品）、５３…モーター（駆動部、電子部品）、５４，１５４Ｂ，１５４Ｒ…ケーブル（接続部）、６１ｈ，１２０ｈ…挿通孔、７２，９１…固定部、７３，９２…弾性部、１２０…光学部品用筐体（収納用筐体）、１２１…第１筐体、１２１ａ…第１外面、１２２…第２筐体、１２２ａ…第２外面、２１１ａ…発光素子（光源）、５２２…蛍光体、６１２…第１位置決め突起、６１３…第２位置決め突起、７２１…第１部材、７２１Ａ，９１１…第１対向部、７２１Ｂ…第１孔形成部、７２１Ｂｈ…貫通孔、７２２…第２部材、７２２Ａ，９１２…第２対向部、７２２Ｂ…第２孔形成部、７２２Ｂｈ…貫通孔、７３１，９２１…第１弾性部材、７３１ｐ，９２１ｐ…第１突出部、７３２…第２弾性部材、７３２ｐ，９２２ｐ…第２突出部、９１３…基部、１２２３…挟持部、Ｄ１…第１方向、Ｄ２…第２方向、Ｄ３…第３方向。
【図１】
0006672824.tif 000002
【図２】
0006672824.tif 000003
【図３】
0006672824.tif 000004
【図４】
0006672824.tif 000005
【図５】
0006672824.tif 000006
【図６】
0006672824.tif 000007
【図７】
0006672824.tif 000008
【図８】
0006672824.tif 000009
【図９】
0006672824.tif 000010